(57)【要約】【課題】衣類または浴室内を乾燥、換気または暖房するために使用される浴室暖房乾燥装置において、浴室内を浴室設定温度に保持することを目的としている。【解決手段】浴室内の空気を循環させる循環ファン１０７による空気の循環系路内に設置された温水配管１０８を介して温水を供給する温水暖房熱源装置１０９から温水が循環供給される熱交換器１１０と、前記熱交換器１１０に温水の供給を温度変化による感温部品の伸縮によりバルブを開閉して調整する熱動弁１１１ａと、前記熱動弁１１１ａに冷却を行う冷却手段１と、浴室内の空気を排気する換気ファン１１２とを備え、前記熱動弁１１１ａが温水の供給を止める際には前記冷却手段１を動作させる事により前記調整弁の変化を促進でき、特に浴室内温度が高い状態の際、前記熱動弁１１１ａの閉動作を俊敏にし、浴室内を浴室設定温度に保持することができる浴室暖房乾燥装置が得られる。【選択図】図１
2009092307.tif 000002
【特許請求の範囲】
【請求項１】
温水を供給する給水手段と、前記給水手段から温水配管を介して温水の循環供給を受ける熱交換器と、前記熱交換器に温水の供給を温度変化による感温部品の伸縮によりバルブを開閉して調整する調整弁と、前記調整弁へ冷却を行う冷却手段と、浴室内の空気を循環するための循環風路内に設けた送風手段と、浴室内の空気を排気する換気手段と、前記調整弁または／および前記送風手段または／および前記換気手段を組み合わせて駆動し、乾燥運転または／および暖房運転または／および換気運転を行う制御手段とを備え、前記調整弁が温水の供給を止める際には前記冷却手段を動作させる事により前記調整弁の変化を促進できる浴室暖房乾燥装置。
【請求項２】
調整弁に加熱を行う加熱手段を備え、前記調整弁が温水の供給を行う際には前記加熱手段を動作させる事により前記調整弁の変化を促進できる請求項１記載の浴室暖房乾燥装置。
【請求項３】
冷却手段はペルチェ効果を利用する素子であることを特徴とする請求項１または２記載の浴室暖房乾燥装置。
【請求項４】
ペルチェ効果を利用する素子に電流を流す方向を切り換える電流方向切換手段を備え、電流方向切換手段により冷却動作と加熱動作を切り換えることで冷却手段と加熱手段を一体としたことを特徴とする請求項３記載の浴室暖房乾燥装置。
【請求項５】
冷却手段の動作を行うか否かを判定する冷却動作判定手段を備えたことを特徴とする請求項１、２、３または４に記載の浴室暖房乾燥装置。
【請求項６】
冷却動作判定手段の動作判定を乾燥運転または／および暖房運転の運転モードで行い、浴室内を加熱する前記運転モードにて動作判定条件を満たしたと判定し、制御手段により調整弁が温水の供給を止める際に冷却手段を動作させることを特徴とする請求項５に記載の浴室暖房乾燥装置。
【請求項７】
冷却動作判定手段の動作判定を運転モードと運転終了後からの経過時間で行い、浴室内を加熱する運転モード中、または浴室内を加熱する運転モードが終了してから所定の経過時間内にて動作判定条件を満たしたと判定し、制御手段により調整弁が温水の供給を止める際に冷却手段を動作させることを特徴とする請求項６に記載の浴室暖房乾燥装置。
【請求項８】
浴室内の温度を検出する浴室内温度検出手段を備え、冷却動作判定手段の動作判定を前記浴室内温度検出手段により検出された浴室内温度で行い、浴室内温度が所定の温度以上にて動作判定条件を満たしたと判定し、制御手段により調整弁が温水の供給を止める際に冷却手段を動作させることを特徴とする請求項５、６または７に記載の浴室暖房乾燥装置。
【発明の詳細な説明】
【技術分野】
【０００１】
本発明は、衣類または浴室内を乾燥、換気または暖房するために使用される浴室暖房乾燥装置に関する。
【背景技術】
【０００２】
従来、この種の温水暖房熱源装置から供給される温水の熱を利用して浴室内に温風を吹き出すことによって浴室内の暖房を行う浴室暖房乾燥装置は、本体筐体内に浴室内の空気を循環させる循環ファンと、循環ファンによる空気の循環経路中に設置された温水配管を介して温水暖房熱源装置から温水が循環供給される熱交換器と、温水配管に設置された熱交換器への温水の供給を断続する熱動弁を備え、浴室内温度に応じて、熱動弁の開閉動作を行うことによって、浴室内温度を浴室設定温度に保持するようにしたものが知られている（例えば、特許文献１参照）。
【０００３】
また、熱交換器への温水の供給を断続する熱動弁に代わって、熱交換器への温水の供給量を制御する流量調節弁が設置され、浴室内温度に応じて、流量制御弁の開度調整を行うことによって、熱交換器への温水の供給量を制御し、浴室内温度を浴室設定温度に保持するようにしたものが知られている。
【０００４】
以下、その浴室暖房乾燥装置について図５を参照しながら説明する。
【０００５】
図５に示すように、浴室１０１の天井部１０２に設置された浴室暖房乾燥装置１０３は、浴室１０１内の空気を本体筐体１０４内に取り込むための吸い込み口１０５と、本体筐体１０４内で加温した空気を浴室１０１内に吹き出すための吹き出し口１０６と、浴室１０１内の空気を循環させる送風手段としての循環ファン１０７と、循環ファン１０７による空気の循環経路中に設置された温水配管１０８を介して温水を供給する給水手段である温水暖房熱源装置１０９から温水が循環供給される熱交換器１１０と、温水配管１０８に設置された熱交換器１１０への温水の供給を断続する調整弁である熱動弁１１１ａと、浴室内の空気を排気する換気手段としての換気ファン１１２と、前記循環ファン１０７、熱動弁１１１ａ、換気ファン１１２を組み合わせて駆動する制御手段１１３と、浴室内の温度を検出する浴室内温度検出手段１１４とを備えている。
【０００６】
浴室暖房乾燥装置１０３は、温水配管１０８を介して温水暖房熱源装置１０９から温水が循環供給される熱交換器１１０上で、循環ファン１０７により本体筐体１０４内に取り込まれた浴室１０１内の空気と熱交換を行うことで浴室１０１内の空気を加温する。熱交換器１１０で熱交換を行うことにより低温となった温水は温水配管１０８を介して温水暖房熱源装置１０９に戻り、再び加熱されて浴室暖房乾燥装置１０３に供給される。
【０００７】
一方、循環ファン１０７により吸い込み口１０５から本体筐体１０４内に取り込まれた浴室１０１内の空気は熱交換器１１０で加温された後、吹き出し口１０６を通って浴室１０１内に吹き出すことで浴室１０１内の空気を加温する。
【０００８】
浴室内温度に応じて、制御手段１１３により熱動弁１１１ａの開閉動作を行うことで熱交換器１１０への温水の供給を断続し、浴室１０１内の空気の加温する、しないの調整を行う。この加温する、しないの調整により浴室内温度を浴室設定温度に保持する。
【０００９】
また、熱交換器１１０への温水の供給を断続する熱動弁１１１ａの代わりに、熱交換器１１０への温水の供給量を制御する流量制御弁１１１ｂが設置されている場合には、浴室内温度に応じて、制御手段１１３により流量制御弁１１１ｂの開度調整を行うことによって、熱交換器１１０への温水の供給量を制御し、浴室１０１内の空気の加温度合いの調整を行う。この加温度合いの調整により浴室内温度を浴室設定温度に保持する。
【特許文献１】特開２００５−７６９１０号公報
【発明の開示】
【発明が解決しようとする課題】
【００１０】
このような従来の浴室暖房乾燥装置では、制御手段から熱動弁への開閉動作の指令に対し、温度変化による感熱部品またはバイメタルまたはベローズの伸縮によってバルブを開閉するという熱動弁の構造上、反応に時間がかかるという課題がある。また、浴室内温度が高い状態（以下、熱時と呼ぶ）にて、熱動弁が開であるときに閉動作の指令を受けても温度が下がるまではバルブが閉じない、逆に浴室の温度が低い状態（以下、冷時と呼ぶ）にて、熱動弁が閉であるときに開動作の指令を受けても温度が上がるまではバルブが開かず、反応時間はさらに遅くなるという課題がある。さらに、熱動弁の配置は、浴室の空気を吸込み、温水が循環供給される熱交換器を介して循環ファンにより空気を循環させるという本体の構造上、浴室内温度の影響を受けやすく、かつ熱が篭りやすい配置とならざるを得ないため、熱動弁の開閉切り換えの反応は鈍くなりやすいという課題があり、熱動弁の開閉動作を俊敏にし、浴室内温度を浴室設定温度に保持することが要求されている。
【００１１】
本発明は、このような従来の課題を解決するものであり、熱動弁の開閉動作を俊敏にし、浴室内温度の変化に即時対応して、浴室設定温度に保持することができる浴室暖房乾燥装置を提供することを目的としている。
【００１２】
また、熱動弁の代わりに流量制御弁が設置されている場合は、温水の供給量を開度調整するため、浴室内温度に対する温度変化への反応は可能であるが、弁が開いた状態で固着しないように防止する処理や、電源投入時に全閉する処理など、常に開度を意識せねばならず複雑な処理が付随する。また、弁の開閉はステッピングモータなど機械的な出力を介するものが多く、ギアなど出力伝達部の磨耗や経年変化による劣化など堅牢性の面で難があるため異常時の処理やフェイルセーフの手段を別途必要とするという課題があり、複雑な処理やフェイルセーフの手段を別途設けることなく弁の開閉動作を俊敏にし、浴室内温度を浴室設定温度に保持することが要求されている。
【００１３】
本発明は、このような従来の課題を解決するものであり、熱動弁の開閉動作を俊敏にし、浴室内温度の変化に即時対応して、浴室設定温度に保持することができる浴室暖房乾燥装置を提供することを目的としている。
【課題を解決するための手段】
【００１４】
本発明の浴室暖房乾燥装置は上記目的を達成するために、温水を供給する給水手段と、前記給水手段から温水配管を介して温水の循環供給を受ける熱交換器と、前記熱交換器に温水の供給を温度変化による感温部品の伸縮によりバルブを開閉して調整する調整弁と、前記調整弁へ冷却を行う冷却手段と、浴室内の空気を循環するための循環風路内に設けた送風手段と、浴室内の空気を排気する換気手段と、前記調整弁または／および送風手段または／および換気手段を組み合わせて駆動し、乾燥運転または／および暖房運転または／および換気運転を行う制御手段とを備え、前記調整弁が温水の供給を止める際には前記冷却手段を動作させる事により前記調整弁の感温部品を収縮させバルブの閉動作を早め、前記調整弁の変化を促進できることを特徴としたものである。
【００１５】
この手段により特に浴室内温度が高い場合、熱動弁の閉動作を俊敏にし、浴室内温度の変化に即時対応して、浴室設定温度に保持することができる浴室暖房乾燥装置が得られる。
【００１６】
また、第２の課題解決手段は、調整弁に加熱を行う加熱手段を備え、前記調整弁が温水の供給を行う際には加熱手段を動作させる事により前記調整弁の変化を促進できることを特徴としたものである。
【００１７】
この手段により特に浴室内温度が低い場合、熱動弁の開動作を俊敏にし、浴室内温度の変化に即時対応して、浴室設定温度に保持することができる浴室暖房乾燥装置が得られる。
【００１８】
また、第３の課題解決手段は、冷却手段はペルチェ効果を利用する素子であることを特徴としたものである。
【００１９】
この手段によりペルチェ素子は可動部がないため騒音の発生なく冷却でき、特に浴室内温度が高い場合、熱動弁の閉動作を俊敏にし、浴室内温度の変化に即時対応して、浴室設定温度に保持することができる浴室暖房乾燥装置が得られる。
【００２０】
また、第４の課題解決手段は、ペルチェ効果を利用する素子に電流を流す方向を切り換える電流方向切換手段を備え、電流方向切換手段により冷却動作と加熱動作を切り換える事で冷却手段と加熱手段を一体としたことを特徴としたものである。
【００２１】
この手段により冷却手段と加熱手段を一体化することができ、熱動弁の開閉動作を俊敏にし、浴室内温度の変化に即時対応して、浴室内温度を浴室設定温度に保持することができる浴室暖房乾燥装置が得られる。
【００２２】
また、第５の課題解決手段は、冷却手段の動作を行うか否かを判定する冷却動作判定手段を備えたことを特徴としたものである。
【００２３】
この手段により必要な時のみ熱動弁の閉動作を俊敏にし、浴室内温度の変化に即時対応して、浴室内温度を浴室設定温度に保持することができる浴室暖房乾燥装置が得られる。
【００２４】
また、第６の課題解決手段は、冷却動作判定手段の動作判定を乾燥運転または／および暖房運転の運転モードで行い、浴室内を加熱する前記運転モードにて動作判定条件を満たしたと判定し、制御手段により調整弁が温水の供給を止める際に冷却手段を動作させることを特徴としたものである。
【００２５】
この手段により浴室内温度が高い状態になりやすい浴室内を加熱する運転モードの時のみ熱動弁の閉動作を俊敏にし、浴室内温度の変化に即時対応して、浴室設定温度に保持することができる浴室暖房乾燥装置が得られる。
【００２６】
また、第７の課題解決手段は、冷却動作判定手段の動作判定を運転モードと運転終了後からの経過時間で行い、浴室内を加熱する前記運転モード中、または浴室内を加熱する運転モードが終了してから所定の経過時間内にて動作判定条件を満たしたと判定し、制御手段により調整弁が温水の供給を止める際に冷却手段を動作させることを特徴としたものである。
【００２７】
この手段により浴室内温度が高い状態になりやすい浴室内を加熱する運転モード時と、浴室内を加熱する運転モードが終了してから所定の経過時間内は、熱動弁の閉動作を俊敏にし、浴室内温度の変化に即時対応して、浴室設定温度に保持することができる浴室暖房乾燥装置が得られる。
【００２８】
また、第８の課題解決手段は、浴室内の温度を検出する浴室内温度検出手段を備え、冷却動作判定手段の動作判定を浴室内温度検出手段により検出された浴室内温度で行い、前記浴室内温度が所定の温度以上にて動作判定条件を満たしたと判定し、制御手段により調整弁が温水の供給を止める際に前記冷却手段を動作させることを特徴としたものである。
【００２９】
この手段により特に浴室内温度が高い場合、熱動弁の閉動作を俊敏にし、浴室内温度の変化に即時対応して、浴室設定温度に保持することができる浴室暖房乾燥装置が得られる。
【発明の効果】
【００３０】
本発明によれば、主に浴室内温度が高い場合、冷却手段を動作させることにより熱動弁の感温部品を収縮させ閉動作を早めることで、熱動弁の閉動作を俊敏にし、浴室内温度の変化に即時対応して、浴室設定温度に保持するという効果のある浴室暖房乾燥装置を提供できる。
【００３１】
また、主に浴室内温度が低い場合、加熱手段を動作させることにより熱動弁の感温部品を伸張させ開動作を早めることで、熱動弁の開動作を俊敏にし、浴室内温度の変化に即時対応して、浴室設定温度に保持するという効果のある浴室暖房乾燥装置を提供できる。
【発明を実施するための最良の形態】
【００３２】
本発明の請求項１記載の発明は、温水を供給する給水手段と、前記給水手段から温水配管を介して温水の循環供給を受ける熱交換器と、前記熱交換器に温水の供給を温度変化による感温部品の伸縮によりバルブを開閉して調整する調整弁と、前記調整弁へ冷却を行う冷却手段と、浴室内の空気を循環するための循環風路内に設けた送風手段と、浴室内の空気を排気する換気手段と、前記調整弁または／および前記送風手段または／および前記換気手段を組み合わせて駆動し、乾燥運転または／および暖房運転または／および換気運転を行う制御手段とを備え、前記調整弁が温水の供給を止める際には冷却手段を動作させる事により前記調整弁の感温部品を収縮させバルブの閉動作を早め、前記調整弁の変化を促進できることを特徴としたものであり、特に浴室内温度が高い場合、熱動弁の閉動作を俊敏にし、浴室内温度の変化に即時対応して、浴室設定温度に保持することができる浴室暖房乾燥装置が得られるという作用を有する。
【００３３】
また、請求項２記載の発明は、調整弁に加熱を行う加熱手段を備え、前記調整弁が温水の供給を行う際には加熱手段を動作させる事により前記調整弁の感温部品を伸張させバルブの開動作を早め、前記調整弁の変化を促進できることを特徴としたものであり、特に浴室内温度が低い場合、熱動弁の開動作を俊敏にし、浴室内温度の変化に即時対応して、浴室設定温度に保持することができる浴室暖房乾燥装置が得られるという作用を有する。
【００３４】
また、請求項３記載の発明は、冷却手段はペルチェ効果を利用する素子であることを特徴としたものであり、ペルチェ素子は可動部がないため騒音の発生なく冷却でき、特に浴室内温度が高い場合、熱動弁の閉動作を俊敏にし、浴室内温度を浴室設定温度に保持することができる浴室暖房乾燥装置が得られるという作用を有する。
【００３５】
また、請求項４記載の発明は、ペルチェ効果を利用する素子に電流を流す方向を変更する電流方向切換手段を備え、電流方向切換手段により冷却動作と加熱動作を切り換える事で冷却手段と加熱手段を一体としたことを特徴としたものであり、冷却手段と加熱手段を一体化することができ、熱動弁の開閉動作を俊敏にし、浴室内温度を浴室設定温度に保持することができる浴室暖房乾燥装置が得られるという作用を有する。
【００３６】
また、請求項５記載の発明は、冷却手段の動作を行うか否かを判定する冷却動作判定手段を備えたことを特徴としたものであり、必要な時のみ熱動弁の閉動作を俊敏にし、浴室内温度を浴室設定温度に保持することができる浴室暖房乾燥装置が得られるという作用を有する。
【００３７】
また、請求項６記載の発明は、冷却動作判定手段の動作判定を乾燥運転または／および暖房運転の運転モードで行い、浴室内を加熱する運転モードにて動作判定条件を満たしたと判定し、制御手段により調整弁が温水の供給を止める際に冷却手段を動作させることを特徴としたものであり、熱時になりやすい浴室内を加熱する運転モードの時のみ熱動弁の閉動作を俊敏にし、浴室内温度を浴室設定温度に保持することができる浴室暖房乾燥装置が得られるという作用を有する。
【００３８】
また、請求項７記載の発明は、冷却動作判定手段の動作判定を運転モードと運転終了後からの経過時間で行い、浴室内を加熱する運転モード中、または浴室内を加熱する運転モードが終了してから所定の経過時間内にて動作判定条件を満たしたと判定し、制御手段により調整弁が温水の供給を止める際に冷却手段を動作させることを特徴としたものであり、浴室が高い状態になりやすい浴室内を加熱する運転モード時と、浴室内を加熱する運転モードが終了してから所定の経過時間内は、熱動弁の閉動作を俊敏にし、浴室内温度を浴室設定温度に保持することができる浴室暖房乾燥装置が得られるという作用を有する。
【００３９】
また、請求項８記載の発明は、浴室内の温度を検出する浴室内温度検出手段を備え、冷却動作判定手段の動作判定を前記浴室内温度検出手段により検出された浴室内温度で行い、浴室内温度が所定の温度以上にて動作判定条件を満たしたと判定し、制御手段により調整弁が温水の供給を止める際に冷却手段を動作させることを特徴としたものであり、特に浴室内温度が高い場合、熱動弁の閉動作を俊敏にし、浴室内温度の変化に即時対応して、浴室設定温度に保持することができる浴室暖房乾燥装置が得られるという作用を有する。
【００４０】
以下、本発明の実施の形態について図面を参照しながら説明する。
【００４１】
（実施の形態１）
図１に示すように、浴室１０１の天井部１０２に設置された浴室暖房乾燥装置１０３は、浴室１０１内の空気を本体筐体１０４内に取り込むための吸い込み口１０５と、本体筐体１０４内で加温した空気を浴室１０１内に吹き出すための吹き出し口１０６と、浴室１０１内の空気を循環させる送風手段としての循環ファン１０７と、循環ファン１０７による空気の循環経路中に設置された温水配管１０８を介して温水を供給する給水手段である温水暖房熱源装置１０９から温水が循環供給される熱交換器１１０と、温水配管１０８に設置された熱交換器１１０への温水の供給を断続する調整弁である熱動弁１１１ａと、熱動弁１１１ａを閉じる際に冷却を行う冷却手段１と、浴室内の空気を排気する換気手段としての換気ファン１１２と、前記循環ファン１０７、熱動弁１１１ａ、冷却手段１、換気ファン１１２を組み合わせて駆動する制御手段１１３と、浴室内の温度を検出する浴室内温度検出手段としてのサーミスタ１１４とを備えている。
【００４２】
浴室暖房乾燥装置１０３は、温水配管１０８を介して温水暖房熱源装置１０９から温水が循環供給される熱交換器１１０上で、循環ファン１０７により本体筐体１０４内に取り込まれた浴室１０１内の空気と熱交換を行うことで浴室１０１内の空気を加温する。熱交換器１１０で熱交換を行うことにより低温となった温水は温水配管１０８を介して温水暖房熱源装置１０９に戻り、再び加熱されて浴室暖房乾燥装置１０３に供給される。
【００４３】
一方、循環ファン１０７により吸い込み口１０５から本体筐体１０４内に取り込まれた浴室１０１内の空気は熱交換器１１０で加温された後、吹き出し口１０６を通って浴室１０１内に吹き出すことで浴室１０１内の空気を加温する。
【００４４】
浴室内温度検出手段であるサーミスタ１１４により検出される浴室内温度に応じて、制御手段１１３により熱動弁１１１ａの開閉動作を行うことで熱交換器１１０への温水の供給を断続し、浴室１０１内の空気の加温する、しないの調整を行う。この加温する、しないの調整により浴室内温度を浴室設定温度に保持する。
【００４５】
冷却手段１は例えばペルチェ効果を利用する素子であり、熱動弁１１１ａの感温部品に密着しており、閉じる際に連動して素子に一定時間もしくは間欠で電圧を印加することで冷却を行い、前記熱動弁１１１ａの感温部品を収縮させバルブの閉動作を早め、閉弁動作を促進させる。なお、一定時間については１０秒以内が望ましい。
【００４６】
上記構成により、浴室暖房乾燥装置は、特に浴室内温度が高い場合、熱動弁の閉動作を俊敏にし、浴室内温度の変化に即時対応して、浴室内温度を浴室設定温度に保持することとなる。
【００４７】
なお、実施の形態１では、冷却手段１は熱動弁１１１ａの閉じる際に連動して電圧を印加する構成としたが、冷却手段１の動作を行うか否かを判定する冷却動作判定手段２を備え、図２の冷却動作判定処理のフローチャートに示すように、冷却動作判定手段２の動作判定を運転モードと運転終了後からの経過時間で行い、ステップＳ００１にて浴室内を加熱する運転モード、例えば乾燥運転中あるいは暖房運転中、または浴室内を加熱する運転モードが終了してから所定の経過時間内、例えば所定の経過時間は１０分以内であれば動作判定条件を満たしたと判定し、制御手段１１３により熱動弁１１１ａが温水の供給を止める際に冷却手段１を動作させることとし、熱動弁１１１ａの感温部品を収縮させバルブの閉動作を早め、閉弁動作を促進させ、また、前記ステップＳ００１にて冷却手段動作判定条件を満たさない場合は冷却手段を動作させないこととし、通常どおりの閉弁動作としてもよく、その作用効果に差異を生じない。
【００４８】
また、冷却動作判定手段２の動作判定を浴室内温度検出手段により検出された浴室内温度で行い、図３の冷却動作判定処理のフローチャートに示すように、ステップＳ００２にて前記浴室内温度が所定の温度以上、例えば３５℃以上にて動作判定条件を満たしたと判定し、制御手段１１３により熱動弁１１１ａが温水の供給を止める際に冷却手段１を動作させることとし、熱動弁１１１ａの感温部品を収縮させバルブの閉動作を早め、閉弁動作を促進させ、また、前記ステップＳ００２にて冷却手段動作判定条件を満たさない場合は冷却手段を動作させないこととし、通常どおりの閉弁動作としてもよく、その作用効果に差異を生じない。
【００４９】
（実施の形態２）
図４に示すように、熱動弁１１１ａの冷却・加熱手段であるペルチェ効果を利用する素子に切り換えスイッチなどにより電流を流す方向を切り換える電流方向切換手段３を備え、電流を流す方向を切り換えることで吸熱・発熱が切り換わることを利用して冷却・加熱を切り換え、熱動弁１１１ａの開閉に連動して素子に一定時間もしくは間欠で電圧を印加することで冷却・加熱を行い、熱動弁１１１ａの開閉動作を促進させる。
【００５０】
上記構成により、浴室暖房乾燥装置は、冷却手段と加熱手段を一体化することができ、熱動弁の開閉動作を俊敏にし、浴室内温度の変化に即時対応して、浴室内温度を浴室設定温度に保持することとなる。
【産業上の利用可能性】
【００５１】
本発明にかかる浴室暖房乾燥装置では、熱動弁の開閉動作を俊敏にし、浴室内温度を浴室設定温度に保持することができるものであり、浴室のみに限らず、屋内にて温度制御を行う空気調和機への用途にも適用できる。
【図面の簡単な説明】
【００５２】
【図１】本発明の実施の形態１の浴室暖房乾燥装置の概念図
【図２】運転モードと所定経過時間による冷却判定処理の例を示すフローチャート
【図３】浴室内の所定温度による冷却判定処理の例を示すフローチャート
【図４】本発明の実施の形態２の電流方向切換手段の例を示す概念図（（ａ）同熱動弁を冷却する方向に電流の方向を切替えた図、（ｂ）同同熱動弁を加熱する方向に電流の方向を切替えた図）
【図５】従来例の浴室暖房乾燥装置の概念図
【符号の説明】
【００５３】
１        冷却手段
２        冷却動作判定手段
３        電流方向切換手段
１０１    浴室
１０２    天井部
１０３    浴室暖房乾燥装置
１０４    本体筐体
１０５    吸い込み口
１０６    吹き出し口
１０７    循環ファン
１０８    温水配管
１０９    温水暖房熱源装置
１１０    熱交換器
１１１ａ  熱動弁
１１１ｂ  流量制御弁
１１２    換気ファン
１１３    制御手段
１１４    サーミスタ
【図１】
2009092307.tif 000003
【図２】
2009092307.tif 000004
【図３】
2009092307.tif 000005
【図４】
2009092307.tif 000006
【図５】
2009092307.tif 000007